(57)【特許請求の範囲】
【請求項１】
開削穴内壁を構成するように遮水シートを施工し、その延長部を地上において支持固定する遮水シートの施工法おいて、遮水シートの延長部の端を地上で固定すると共に、上記延長部を地上において形成したピットの内底面に沿って敷設することにより弛み部分を形成し、該弛み部分を上記ピットの内底面において土嚢あるいは水土嚢等よりなる錘体により押圧保持し、遮水シートの延長部に引張力が作用した場合、上記錘体の押圧を解除して、上記弛み部分を伸張し、遮水シートの延長部の端に、新たな遮水シートを連結して、開削穴内への遮水シートのずれ込みを補償し、再度、弛み部分を上記ピットの内底面に沿って形成し、錘体で押圧保持することを特徴とする遮水シートの施工法。
【発明の詳細な説明】
【０００１】
【産業上の利用分野】
本発明は、主として、廃棄物最終処理場、簡易人工貯水池などの開削穴内壁に施工される遮水シートの破断防止のための施工法に関する。
【０００２】
【従来の技術】
一般に、この種の開削穴では、内部に掛かる荷重で、経時的に不等沈下が起こり、遮水シートには引張力が掛かる。この場合、遮水シートの下地に点石などの突起物があると、遮水シートが局部的に伸びて、破損する虞があり、また、開削穴の天端や小段における法肩付近では、定常的に負荷される伸張力で、遮水シートが薄くなり、破損する虞がある。このような原因で、遮水シートが破断されるのを防止するために、開削穴の天端、小段、法尻などに位置して、遮水シートに折り畳みなどの方法で、弛み部分を設けている。
【０００３】
【発明が解決しようとする課題】
しかしながら、将来の不等沈下を定量的に把握することは困難で、時間経過の過程で、開削穴内への過剰な遮水シートのずれ込みが生じると、用意された弛み部分が消費され、その後、遮水シートに破断限界を越えた張力が働き、損傷される虞がある。
【０００４】
【発明の目的】
本発明は、上記事情に基づいてなされたもので、その目的とするところは、開削穴に施工された遮水シートの、地上の延長部に弛み部分を形成し、これに錘体を掛けて置き、遮水シートの延長部に伸張力が作用した場合、錘体の押圧力を除いて、上記延長部をずらせて、引き続き、開削穴への遮水シートのずれ込みを許容し、破断発生を未然に、かつ、持続的に防止できるようにした遮水シートの破断防止のための施工法を提供することにある。
【０００５】
【課題を解決するための手段】
このため、本願の請求項１の発明を、図示の実施例を参照して説明する。
【０００６】
本願の請求項１の発明では、開削穴１内壁を構成するように遮水シート２を施工し、その延長部２Ａを地上において支持固定する遮水シートの施工法おいて、遮水シート２の延長部２Ａの端を地上で固定すると共に、上記延長部２Ａを地上において形成したピット６の内底面に沿って敷設することにより弛み部分２Ｃを形成し、該弛み部分２Ｃを上記ピット６の内底面において土嚢あるいは水土嚢等よりなる錘体５により押圧保持し、遮水シート２の延長部２Ａに引張力が作用した場合、上記錘体５の押圧を解除して、上記弛み部分２Ｃを伸張し、遮水シート２の延長部２Ａの端に、新たな遮水シート２’を連結して、開削穴１内への遮水シート２のずれ込みを補償し、再度、弛み部分２Ｃを上記ピット６の内底面に沿って形成し、錘体５で押圧保持することを特徴としている。
【０００７】
【作用】
従って、本願の請求項１の発明によれば、何時、どの時点で、開削穴１内に不等沈下が起こるかを知ることはできないが、開削穴１周辺の定期的な点検などにより、錘体５の押圧力を解除し、遮水シート２の延長部２Ａにおける伸張状態を解消するように、遮水シート２のずれ込みを許容し、弛み部分２Ｃを再生し、遮水シート２の破断を未然に、かつ、持続的に防止できる。
【０００８】
【実施例】
以下、本発明を図示の実施例に基づいて、具体的に説明する。本発明に係わる遮水シートの破断構造は、図示のように、開削穴１の内壁を構成する遮水シート２の延長部２Ａの端部を地上で、鉄筋アンカー等の固定部材３により、支持固定する際に、従来のように、開削穴１の天端で、ジグザグ折り畳み部分２Ｂを形成し、これをテープ状シート４で接着固定する。また、上記延長部２Ａの途中には、弛み部分２Ｃが設けてあり、また、弛み部分２Ｃを押圧する錘体５によって、延長部２Ａを保持している。
【０００９】
特に、この実施例では、遮水シート２の延長部２Ａは、地上に形成したピット６を越えて施工され、ピット６の内底面に沿って敷設する弛み部分２Ｃを形成しており、また、錘体５は、ピット６内において弛み部分２Ｃを押圧する土嚢あるいは水土嚢等で構成されている。なお、開削穴１の法面１Ａからピット６に掛けては、開削穴１の一次ライナーとしての、下層遮水シート７が延長施工されており、その上には、中間層として不織布などからなるシート保護材８が延長施工され、遮水シート２の下側の支えとして機能している。また、符号９は、下層遮水シート７の延長端を固定する鉄筋アンカーである。
【００１０】
このような破断防止構造を持った遮水シート２を施工するに際しては、従来同様に、下層遮水シート７やシート保護材８を予め施工して置く。そして、その施工後に、開削穴１内壁を構成するように、遮水シート２を施工し、その延長部２Ａを地上において支持固定するのである。この際、遮水シート２の延長部２Ａの端を、前述のような固定部材３などを用いて、地上で固定すると共に、開削穴１の天端に折り畳み部分２Ｂを形成し、テープ状シート４で接着固定し、また、延長部２Ａの途中の位置で、ピット６内において弛み部分２Ｃを形成し、そこに上述の錘体５を負荷する。
【００１１】
而して、開削穴１を廃棄物処理用に、あるいは、簡易貯水池として、使用する過程で、地震や、地盤沈下などの自然現象により、開削穴１に不等沈下が起こると、初期段階では、先ず、天端の部分で張力が働き、テープ状シート４の接着箇所が剥離し、折り畳み部分２Ｂが伸張し、開削穴１内にずれ込む。これにより、一時的に遮水シート２の破断を防止できる。この時の、あるいは、その後の不等沈下によって、更に、図２に示すように、遮水シート２の延長部２Ａに引張力が作用する。
【００１２】
この状態を、定期的な点検の際などに発見したならば、固定部材３を外し、遮水シート２の延長部２Ａの端に、新たな遮水シート２’を連結すると共に、錘体５の押圧を解除し、弛み部分２Ｃを開削穴１の方向にずり出すのである。このようにして、図３に示すように、開削穴１内への遮水シート２のずれ込みを補償し、再度、折り畳み部分２Ｂや弛み部分２Ｃを形成し、錘体５で保持する。
【００１３】
なお、この実施例では、従来同様に、遮水シート２に、開削穴の天端で、折り畳み部分２Ｂを形成し、これをテープ状シート４で接着固定し、ある程度の伸張力が負荷された段階で、テープ状シートの接着箇所が剥離することで、一次的に折り畳み部分２Ｂを伸張し、遮水シート２のずれ込みを許容させているが、必要なら、ピットに入った弛み部分２Ｃを最初から機能させるように、上述の折り畳み部分２Ｂの構造を削除しても良い。
【００１４】
また、万一を考慮して、遮水シート２の延長部２Ａに遮水シート２の破断張力以下の伸張力が作用した場合に、弛み部分２Ｃが錘体５を押し上げて、開削孔１の方向にずれ出しができるように、錘体５の重さを設定して置いても良い。
【００１５】
【発明の効果】
本願発明は、以上詳述したようになり、開削穴内壁を構成するように、遮水シートを施工し、その延長部を地上において支持固定する遮水シートの施工法において、遮水シートの延長部の端を地上で固定すると共に、上記延長部の途中に弛み部分を形成し、そこに錘体を負荷する。更に、遮水シートの延長部に引張力が作用した場合、上記錘体の押圧を解除して、上記弛み部分を伸張し、上記遮水シートの延長部の端に、新たな遮水シートを連結して、開削穴内への遮水シートのずれ込みを補償し、再度、弛み部分を形成し、錘体で保持する。
従って、開削穴１周辺の定期的な点検などにより、錘体５の押圧力を解除し、遮水シート２の延長部２Ａにおける伸張状態を解消するように、遮水シート２のずれ込みを許容し、弛み部分２Ｃを再生し、遮水シート２の破断を未然に、かつ、持続的に防止できる。
錘体５は、ピット６内に押圧保持されていることから、その遮水シートの無用なずれ込みが阻止されている。
【図面の簡単な説明】
【図１】本発明の実施例を示す概略側面図である。
【図２】同じく、その機能を説明するための側面図である。
【図３】同じく、再施工の状態を示す側面図である。
【符号の説明】
１    開削穴
１Ａ    法面
２    遮水シート
２Ａ    延長部
２Ｂ    折り畳み部分
２Ｃ    弛み部分
３    固定部材
４    テープ状シート
５    錘体
６    ピット
７    下層遮水シート
８    シート保護材
９    鉄筋アンカー
【図１】
0003627297.tif 000002
【図２】
0003627297.tif 000003
【図３】
0003627297.tif 000004